(57)【要約】整流子機械用のブラシ保持体が提示され、これは複数の、整流子機械の整流子（１８）上に摩擦力接続で載置するように構成された整流子ブラシを有しており、これらの整流子ブラシのうちその都度１つの整流子ブラシはブラシケース（１２）内で遊びをもって軸方向に移動可能に案内されており、ブラシケース（１２）と整流子ブラシ（１５）との間に支えられているブラシ圧着ばねにより、ブラシケース（１２）から押し出し方向に負荷されている。各ブラシケース（１２）内で、組み立て補助として押さえ部材（２０）が設けられており、この押さえ部材は、ばね負荷された整流子ブラシ（１５）を、組み立ての際に、形状接続でブラシケース（１２）にとどめ、かつ組み立て後に解放する。製作技術的に極めて簡単な、組み立て時間を節減する組み立て補助を実現するために、押さえ部材（２０）はブラシケース（１２）の一体の部分であり、かつ次のように、すなわち形状接続がブラシケース（１２）内で整流子ブラシ（１５）をわずかに傾倒させることによって生ぜしめることができ、かつ真っ直ぐにすることによって再び解消し得るように、構成されている。
2004509585.tif 000002
【特許請求の範囲】
【請求項１】
整流子機械用のブラシ保持体であって、整流子機械の整流子（１８）上に摩擦力接続で載置されるように構成されている複数の整流子ブラシ（１５）を備え、これらの整流子ブラシのうち、それぞれ１つの整流子ブラシはブラシケース（１２）内で遊びをもって軸方向に案内され、かつブラシケース（１２）と整流子ブラシ（１５）との間で支えられているブラシ圧着ばね（１６）により、ブラシケース（１２）からの押し出し方向に負荷されており、並びに組み立て補助としてブラシケース（１２）内に含まれている押さえ部材（２０）を備え、この押さえ部材は、整流子ブラシ（１５）との、組み立て後に解消可能な形状接続によって、ばね負荷されている整流子ブラシ（１５）を、ブラシケース（１２）からの押し出しに対し、ブロックする形式のものにおいて、押さえ部材（２０）がブラシケース（１２）の一体の部分であって、次のように、すなわち、形状接続がブラシケース（１２）内の整流子ブラシ（１５）の、ケース軸線に対するわずかな傾倒によって生ぜしめることができ、かつ整流子ブラシ（１５）を真直ぐにすることによって再び解消可能であるように、構成されていることを特徴とする、整流子機械用のブラシ保持体。
【請求項２】
ブラシケース（１２）と整流子ブラシ（１５）との間の案内遊びが次のように、すなわち、整流子ブラシ（１５）がブラシケース（１２）内で、ブラシ軸線がケース軸線と小さな鋭角をなす傾斜位置を占めることができるように、定められており、かつ、押さえ部材（２０）が、整流子ブラシ（１５）と、その傾斜位置において協働する係止肩（２１）により、形成されており、この係止肩はブラシケース（１２）のケース壁（１２３）の１つに形成されていることを特徴とする、請求項１記載のブラシ保持体。
【請求項３】
係止肩（２１）が、ブラシケース（１２）のブラシ出口縁（１２５）の近くで、ケース壁（１２３）の全壁幅にわたって延びており、かつ傾斜せしめられた整流子ブラシ（１５）が、その、ブラシ圧着ばね（１６）とは逆の側の端面（１５２）で、係止肩（２１）上に載着することを特徴とする、請求項２記載のブラシ保持体。
【請求項４】
係止肩（２１）が、ブラシ出口縁（１２５）に面した、ケース壁（１２３）を完全に貫通する切り欠き（２２）の下縁により、形成されていることを特徴とする、請求項２又は３記載のブラシ保持体。
【請求項５】
係止肩（２１）が、ブラシ出口縁（１２５）に面した、ケース壁（１２３）の内面に形成された、溝状の凹所（２３）の下方の側面により、形成されていることを特徴とする、請求項２又は３記載のブラシ保持体。
【請求項６】
係止肩（２１）と整流子ブラシ（１５）との形状接続を解消させるために、整流子ブラシ（１５）上に、ケース軸線に対して横方向に延びる横力を作用させ得ることを特徴とする、請求項３から５までのいずれか１項に記載のブラシ保持体。
【請求項７】
凹所（２３，２３′）を支持しているケース壁（１２３）内に、貫通孔（２４，２５）あるいはブラシ出口縁（１２５）まで開いているスリット（２８）が形成されており、この貫通孔又はスリットは凹所（２３，２３′）内に開口していることを特徴とする、請求項５又は６記載のブラシ保持体。
【請求項８】
係止肩（２１）が次のように、すなわち、係止肩（２１）上に整流子ブラシ（１５）の端面（１５２）が載置されている場合に、端面（１５２）の一部がブラシケース（１２）のブラシ出口縁（１２５）から突出して、ブラシ保持体（１０）を整流子（１８）に接合する際に、整流子が整流子ブラシの端面（１５２）に突き当たるように、配置されていることを特徴とする、請求項３又は６記載のブラシ保持体。
【請求項９】
係止肩（２１）が、整流子（１８）の接合方向で前方に位置している、ブラシケース（１２）のケース壁（１２４）に、構成されていることを特徴とする、請求項８記載のブラシ保持体。
【請求項１０】
整流子ブラシ（１５）の傾倒が、押し込み力（２６）によって行うことができ、この押し込み力は、整流子ブラシ（１５）をブラシケース（１２）内に押し込むために、ブラシ圧着ばね（１６）の力に抗して、整流子ブラシ（１５）の端面（１５２）に、係止肩（２１）を支持しているケース壁（１２３）の方にずらされて、中心から外れて作用することを特徴とする、請求項２から９までのいずれか１項に記載のブラシ保持体。
【発明の詳細な説明】
【０００１】
背景技術
本発明は、請求項１の上位概念に記載した整流子機械用のブラシ保持体から出発する。
【０００２】
公知のブラシ保持体を製作しかつ組み立てる場合に、組み立て補助リングが使用され、これは、完成したブラシ保持体において、ばね負荷されている整流子ブラシをブラシケース内に押さえる。この組み立てリングは、ブラシ保持体を整流子あるいは整流子機械内のコレクタと接合する場合に取り外されて、組み立てステーションに戻し搬送される。
【０００３】
組み立て補助リングを節減し、これによって組み立てリングの戻し搬送の省略とともに、製作の利点を達成するために、最初に述べた形式の公知のブラシ保持体（ＥＰ ０ ７４１ ４３８ Ｂ１）においては、整流子ブラシのための供給接続部は保持区分を有しており、この保持区分は、ブラシケース内に整流子ブラシ及びブラシ圧着ばねが挿入されている場合に、ブラシ圧着ばねとは逆の側の、整流子ブラシの端面を覆って、かつこれによって、ばねで前緊定された整流子ブラシがブラシケースから出るのを阻止する。ブラシ保持体を整流子機械内に接合した後に、この保持区分は、ブラシ圧着プレート上に保持されているブラシケースのそれぞれにおいて、外方に向かって曲げられ、これにより保持区分はその都度整流子ブラシを解放し、整流子ブラシを全体としてブラシ圧着ばねによって整流子の整流子薄板上に圧着する。
【０００４】
発明の利点
本発明によるブラシ保持体は、ブラシケース内における整流子ブラシの側方の案内遊びを利用することによって、押さえ部材をブラシケース自体における簡単な加工手段によって実現することができ、ひいては形状接続を整流子ブラシとブラシケースとの間に生ぜしめることができるという、利点を有している。付加的な構造部分をブラシケース内に挿入することなしに達成可能であるこの形状接続は、前緊定された整流子ブラシを全組み立て中に確実にブラシケース内に保持する。ブラシ保持体を整流子機械内に取り付けた後の形状接続の解消は、次いで種々の形式で容易に行うことができる。
【０００５】
請求項２以下に記載した手段によって、請求項１に記載したブラシ保持体の有利な展開及び改善が可能である。
【０００６】
押さえ部材は本発明の好ましい実施例によれば、構造的に極めて簡単に次のことによって、すなわち一面では、ブラシケースと整流子ブラシとの間の案内遊びが次のように、すなわち、整流子ブラシがブラシケース内で、ブラシ軸線がケース軸線と小さな鋭角をなす傾斜位置を占めることができるように、定められており、かつ他面では、ブラシケースのケース壁の１つに、整流子ブラシとその傾斜位置において協働する係止肩が構成されている。
【０００７】
本発明の有利な実施形によれば、係止肩は、ブラシケースのブラシ出口縁の近くで、ケース壁の全壁幅にわたって延びており、かつ傾斜せしめられた整流子ブラシは、その、ブラシ圧着ばねとは逆の側の端面をもって、係止肩上に載着している。
【０００８】
本発明の代替的な実施形によれば、係止肩は、ケース壁の下縁を完全に貫通する切り欠きにより、あるいはケース壁の内面に形成された、溝状の凹所の下方の側面により、形成されている。整流子ブラシとブラシケースとの形状接続を生ぜしめかつ解消させることは、整流子ブラシの自由端面上に力を作用させること若しくは整流子ブラシの側面上に力を作用させることによって行われ、その際傾斜位置を達成するために、押し込み力が、整流子ブラシをブラシケース内に押し込むために、ブラシ圧着ばねの力に抗して、中心から外れて、それも整流子ブラシの自由端面に、係止肩を支持しているケース壁の方にずらされて、作用する。力作用は整流子ブラシの側面上に外方からケース壁を通して行われ、そのために相応する貫通孔又はスリットが、係止肩により制限されている凹所内に開口している。
【０００９】
本発明の好ましい実施形によれば、ケース壁内の係止肩は次のように、すなわち、係止肩上に整流子ブラシの端面が載置されている場合に、端面の一部がブラシケースのブラシ出口縁から突出して、ブラシ保持体を整流子に接合する際に、整流子が整流子ブラシの端面に突き当たるように、配置されている。今や整流子が引き続き前進せしめられると、ブラシが整流子により容易に内方に押され、その際ブラシは整流子薄板によって戻し旋回せしめられて、そのブラシ軸線がケース軸線に対してほとんど平行に整向され、かつこれによって整流子ブラシの端面が係止肩から引き戻される。これによって、有利には、整流子ブラシと個々のブラシケースとの間の形状接続の解消が自動的に整流子の押し込みによって行われ、かつ付加的な組み立て過程あるいは横力を整流子ブラシに作用させるための補助工具を節減することができる。
【００１０】
実施例の説明
図１において部分的に斜視図でかつ図２において断面で示した、部分的に示した整流子機械、例えば直流モータのためのブラシ保持体１０はブラシプレート１１を有しており、このブラシプレートに、少なくとも２つの、互いに同じ円周角度でずらされた、半径方向で整向されたブラシケース１２が固定されている。各ブラシケース１２は長方形横断面を備えた箱形に形成されていて、一方の端面をケース底１２１で閉じられている。側方のケース壁の１つ１２３には、係止突起１２６が形成されており、この係止突起により、ブラシケース１２がブラシプレート１１内の係止切り欠き１９内に挿入され、かつそこで係止されている。別の側方のケース壁１２２は、ケース縁から中央に取り付けられた縦スリット１３（図２）を、ブラシ接続素線１４（図１）を通すために、備えている。ブラシケース１２内には、整流子ブラシ１５が挿入されており、これは比較的に大きな遊びをもってブラシケース１２内で軸方向に移動可能に案内されている。ケース底１２１と、これに面した、整流子ブラシ１５の端面１５１との間に支えられているブラシ圧着ばね１６は、ブラシ保持体１０を取り付けた後に、整流子ブラシ１５を整流子機械の整流子１８の整流子薄板１７上に圧着する。図示されていないが、ブラシ保持体１０は整流子機械内でブラシプレート１１を介して回転不能に固定されている。
【００１１】
整流子機械の製作の場合に、ブラシ保持体１０が完成ユニットとして前組み立てされ、整流子機械内に挿入され、その際自動的な製作の場合にはしばしばブラシ保持体の前組み立てステーションは空間的に整流子機械の最終組み立てステーションから離されており、完成したブラシ保持体１０は前緊定されたブラシ圧着ばね１６と一緒になお長い搬送距離を移動しなければならない。
【００１２】
組み立て中に、ばね負荷された整流子ブラシ１５をブラシケース１２内に確実に保持するために、各ブラシケース１２内で押さえ部材２０が内蔵されており、これはばね負荷された整流子ブラシ１５のブラシケース１２からの押し出しをブロックする。この押さえ部材２０はブラシ保持体１０の組み立ての際に作用せしめられ、整流子機械内へのブラシ保持体１０の取り付けまで作用状態に保たれ、組み立ての終わりに、要するにブラシ保持体１０を整流子機械内に固定し、整流子１８を取り付けた後に、再び非作用状態にされる。
【００１３】
構造的に簡単な、組み立て時間を節減する、押さえ部材２０を実現するために、一面ではブラシケース１２と整流子ブラシ１５との間に存在する遊びが利用され、この遊びは、整流子ブラシが、ブラシ軸線がケース軸線と小さな鋭角をなす（図３及び４）傾斜位置を占めることができるのに充分であり、かつ他面ではケース壁１２３内で、ブラシケース１２のブラシ出口縁１２５の近くで、係止肩２１が設けられており、この係止肩は、整流子ブラシ１５のわずかな傾倒によって、整流子ブラシ１５と共にその傾斜位置において形状接続を生ぜしめる。係止肩２１はこの場合、ケース壁１２３の全幅にわたって延びており、これにより傾斜せしめられた整流子ブラシ１５は、その、ブラシ圧着ばね１６とは逆の側の端面１５２を、係止肩２１上に載置することができる。係止肩２１は図１〜４の実施例では、ブラシ出口縁１２５に面した、ケース壁１２３を完全に貫通する切り欠き２２の下方の縁により、図５及び図６の実施例では、ブラシ出口縁１２５に面した、ケース壁１２３の内面上を延びる、溝形の凹所２３若しくは２３′の下方の溝側面により、形成されている。後者の場合には、ケース壁１２２になお貫通孔２４（図５）あるいはブラシケース１２のブラシ出口縁１２５において自由に終わるスリット２８（図６）が取り付けられており、これらの貫通孔又はスリットは凹所２３若しくは２３′内に開口している。貫通孔２４の代わりに、凹所２３の近くで延びる貫通孔２５を、図５において破線で示すように、設けておくこともできる。ブラシケース１２をプラスチック射出部分として製作する場合には、射出工具からのブラシケース１２の型抜きのために、凹所２３′をケース底１２１まで導き、かつこれを貫通させることができる（図６及び７）。
【００１４】
ブラシ保持体１０の組み立て過程の２つのステップが図３及び４に概略的に示されている。ブラシ圧着ばね１６をブラシケース１２内に挿入した後に、整流子ブラシ１５がブラシ圧着ばね１６を緊定しながらブラシケース１２内に押し込まれる。押さえ部材２０を作用させるために、この場合図３に矢印２６によって表されている押し込み力が、整流子ブラシ１５の自由端面１５２に、中心を外れて、それも係止肩２１を支持しているケース壁１２３の方にずらされて、作用せしめられる。これによって整流子ブラシ１５は図３及び４に示した傾斜位置をブラシケース１２の内部で占め、押し込み過程の終わりに整流子ブラシ１５はその端面１５２をもって、係止肩２１上に載置される。この載置はなおブラシ圧着ばね１６によって助長される。それは傾斜位置によって、ブラシ圧着ばね１６の圧力の力成分が整流子ブラシ１５を側方に移動させるからである。これによりブラシケース１２内の押さえ部材２０と整流子ブラシ１５との間で形状接続が生ぜしめられ、かつ整流子ブラシ１５とブラシ圧着ばね１６とを備えたブラシケース１２のこの組み立て状態において、ブラシ保持体１０が更に完成され、かつ最後に整流機械内に挿入されて、そこで固定される。
【００１５】
組み立てが終了すると、最後に押さえ部材２０と整流子ブラシ１５との間の形状接続が各ブラシケース１２において、図４〜６において矢印２７で示すように、整流子ブラシ１５が横力２７で切り欠き２２（図４）を通して、あるいは孔２４又は２５（図５）を通して、あるいはスリット２８（図６）を通して、負荷され、この横力２７によって逆のケース壁１２４の方向に押されることによって、解消せしめられる。これによって整流ブラシ１５はその端面１５２を整流子１８の整流子薄板１７上に、接触せしめられる。
【００１６】
図７に示した縦断面図で示したブラシケース１２の、整流子ブラシ１５を備えた実施例は次の点で変化せしめられている。すなわち、係止突起１２６がケース壁１２３に、かつ押さえ部材２０がケース壁１２４に、要するに図１〜５のブラシケースの実施例と逆に、配置されている。押さえ部材２０はやはり係止肩２１として構成されており、これはケース壁１２４においてブラシケース１２のブラシ出口縁１２５に配置されていて、ブラシ出口縁１２５に面した、溝状の凹所２３′の下方の溝側面により形成されている。整流子ブラシ１５をブラシケース１２内に押し込むことによって、中心を外れて作用する、ブラシ圧着ばね１６に反対作用する押し込み力により、整流子ブラシ１５がやはりその自由端面をもって係止肩２１上に載置される。係止肩の配置及び構成はこの場合、次のように、すなわち整流子ブラシ１５の端面１５２の一部がブラシケース１２のブラシ出口縁１２５を超えて突出し、整流子１８の押し込み範囲内に突入するように、定められている。今や、ブラシ保持体１０を整流子機械内に固定した後に、整流子１８を図７の矢印２７の方向に押し込むと、整流子１８はその前縁をもって整流子ブラシ１５の端面１５２に打ち当たり、これをブラシケース１２内に押し込み、これによって整流子ブラシ１５が整向され、その端面１５２が係止肩２１から滑り外れる。ブラシ圧着ばね１６によって、今や、整流子ブラシ１５は整流子１８の整流子薄板１７上に接触する。
【図面の簡単な説明】
【図１】
内蔵されたブラシ保持体を備えた整流子機械の整流子の部分的斜視図を示す。
【図２】
図１の線ＩＩ−ＩＩ線に沿った断面図を示す。
【図３】
図１及び図２のブラシ保持体のブラシケースの縦断面図であって、組み立て過程の１つの位相を示す。
【図４】
図１及び図２のブラシ保持体のブラシケースの縦断面図であって、組み立て過程の次の位相を示す。
【図５】
変化せしめられたブラシケースの縦断面図であって、第１の実施例を示す。
【図６】
変化せしめられたブラシケースの縦断面図であって、第２の実施例を示す。
【図７】
変化せしめられたブラシケースの縦断面図であって、第３の実施例を示す。
【符号の説明】
１０　ブラシ保持体、　１１　ブラシプレート、　１２　ブラシケース、　１３　縦スリット、　１４　ブラシ接続素線、　１５　整流子ブラシ、　１６　ブラシ圧着ばね、　１７　整流子薄板、　１８　整流子、　１９　係止切り欠き、　２０　押さえ部材、　２１　係止肩、　２２　切り欠き、　２３　凹所、　２３′　凹所、　２４　貫通孔、　２５　貫通孔、　２６　矢印、　２７　矢印、　２８　スリット、　１２１　ケース底、　１２２　ケース壁、　１２３　ケース壁、　１２４　ケース壁、　１２５　ブラシ出口縁、　１２６　係止突起、　１５１　端面、　１５２　端面
【国際公開パンフレット】
2004509585.tif 000003
2004509585.tif 000004
2004509585.tif 000005
2004509585.tif 000006
2004509585.tif 000007
2004509585.tif 000008
2004509585.tif 000009
2004509585.tif 000010
2004509585.tif 000011
2004509585.tif 000012
2004509585.tif 000013
2004509585.tif 000014
2004509585.tif 000015
2004509585.tif 000016
2004509585.tif 000017
2004509585.tif 000018
2004509585.tif 000019
2004509585.tif 000020
2004509585.tif 000021
【国際調査報告】
2004509585.tif 000022
2004509585.tif 000023
2004509585.tif 000024
2004509585.tif 000025
2004509585.tif 000026
2004509585.tif 000027